(57)【要約】      （修正有）【課題】可変情報は従来と変わることなく提供でき、製造コストの低廉化を図ることができる粘着ラベルを提供する。【解決手段】基材がその裏面に有する粘着層を介して台紙に粘着されてなる粘着ラベルにおいて、基材３が一層構造からなり、該基材の粘着層２のある側の面に可変情報７が印字されている。基材を一層構造としたため、その分材料費がかからず製造コストの大幅な低廉化を図ることができる。【選択図】図２
0003144540.tif 000002
【実用新案登録請求の範囲】
【請求項１】
基材がその裏面に有する粘着層を介して台紙に粘着されてなる粘着ラベルにおいて、基材が一層構造からなり、該基材の粘着層のある側の面に可変情報が印字されていることを特徴とする粘着ラベル。
【請求項２】
基材の粘着層の一部に非粘着層が形成され、該非粘着層面に可変情報が印字されている請求項１に記載の粘着ラベル。
【請求項３】
可変情報は、文字、数字、アルファベットや、ＱＲコード、ＲＳＳコード、ＪＡＮコード、のいずれかである請求項１又は２に記載の粘着ラベル。
【考案の詳細な説明】
【技術分野】
【０００１】
この考案は、生産者（製造者）表示やトレサビリティーへの応用、ロット管理、キャンペーンの実施、又はウェブサイトを活かしたマーケティング活動等に用いる粘着ラベルに関し、特にその基材にかかる製造コストの低廉化を実現しようとするものに係る。
【背景技術】
【０００２】
従来から前記のような用途のための粘着ラベルが用いられており、それは図４に示すようなものであった。すなわち、粘着ラベル５１は、裏面に粘着層を有する基材５３と、前記粘着層を介して粘着される台紙５５とからなり、前記基材は二層（又は多層構造）のものからなっていた。つまり、基材５３は台紙側の第１の基材５３ａと、該基材の上に粘着された第２の基材５３ｂとからなり、第２の基材が粘着される第１の基材の非粘着層面に可変情報としてのＱＲコード５７が印刷されていた。第１の基材５３ａの非粘着層面にはＱＲコード５７のほかに、図示していないが、例えばキャンペーン応募ハガキの住所とか、インターネットや携帯電話のウェブサイトのアドレスなどが印刷され、これらの情報が第２の基材５３ｂが粘着されることによって被覆可能とされる。また、これも図示していないが、第２の基材５３ｂの表面にはプレゼントが当たるというキャンペーン文字やキャンペーンガールの写真等が印刷され、粘着層となっている裏面にもハガキでの応募要領等が印刷される。そして、第１の基材５３ａと第２の基材５３ｂは全面で互いが粘着されたうえ、第１の基材５３ａの裏面の粘着層を介して台紙５５に粘着される。一方、第１の基材５３ａを第２の基材５３ｂから剥がすときはＯＰＥＮ矢印の箇所から引き剥がし、図に示すようにＱＲコード５７等を開放した状態にする。
【０００３】
ところで、従来の粘着ラベル５１は、前記のような構成からなるため、可変情報としてのＱＲコード５７をはじめとして情報を印刷できる面積はある程度確保できてはいるものの、基材５３が第１の基材５３ａと第２の基材５３ｂという二層以上の構造となるため、製造コストがかかるものとなっていた。また、基材５３の層厚も必然的に大きくなってしまうという問題もあった。
【考案の開示】
【考案が解決しようとする課題】
【０００４】
そこでこの考案は、前記のような従来の問題に鑑みて創案されたものであり、可変情報は従来と変わることなく提供でき、製造コストの低廉化を図ることができる粘着ラベルを提供することを目的とする。
【課題を解決するための手段】
【０００５】
前記目的を達成するために、請求項１に記載の考案は、基材がその裏面に有する粘着層を介して台紙に粘着されてなる粘着ラベルにおいて、基材が一層構造からなり、該基材の粘着層のある側の面に可変情報が印字されていることを特徴とする。
【０００６】
請求項２に記載の考案は、請求項１において、基材の粘着層の一部に非粘着層が形成され、該非粘着層面に可変情報が印字されていることを特徴とする。請求項３に記載の考案は、請求項１又は２において、可変情報は、文字、数字、アルファベットや、ＱＲコード、ＲＳＳコード、ＪＡＮコード、のいずれかであることを特徴とする。
【考案の効果】
【０００７】
この考案は、前記のようであって、基材を一層構造とし、該一層構造の基材の粘着層のある側の面に可変情報を印字した構成からなり、従来のように基材を二層構造としないため、その分の材料費がかからず製造コストの大幅な低廉化を図ることができる。しかも、一層構造のため基材の層厚も従来に比して薄くすることができる。また、可変情報は粘着層のある側の面に印字され、これにより従来と変わることなく可変情報を消費者等に提供することができるという優れた効果がある。
【考案を実施するための最良の形態】
【０００８】
この考案の一実施の形態を、添付した図面を参照しながら詳細に説明する。
【０００９】
図１は、一実施の形態に係る粘着ラベルの全体平面図、図２は、台紙から基材の一部を剥がして、基材裏面に形成した可変情報が見える状態の平面図、図３は、図１のＡ−Ａ線に沿う粘着前の断面図である。
【００１０】
１は、粘着ラベルであって、この粘着ラベル１は、裏面に粘着層２を有する基材３と、前記粘着層２を介して粘着された台紙５（剥離紙）とからなっている。台紙５は、基材３の粘着層２との剥離性をよくするために表面にシリコーンが塗布されている。基材３は、従来のように二層以上のものからなるのではなく、一層構造となっている。一層構造の基材３の裏面にはアクリル系材料やホットメルトあるいは溶剤性材料が塗られて粘着層２が形成されているが、その一方の端部近くの一部には粘着しない非粘着層の部分（糊殺し処理部分）６が粘着層２とは区画されて形成され、この区画された部分６には可変情報としてのＱＲコード７が印字されている。ＱＲコード７には種々の可変情報が多量に記憶されており、消費者がその内容を見て有効利用ができるようにしている。基材３の表面には図示していないが、例えば商品名、商標名、個数または記述的文字やプレゼントが当たるというキャンペーン文字等が印刷される。
【００１１】
基材３と台紙５は、この実施の形態ではいずれも紙からなっているが、紙以外のフィルム系のもの、例えばポリプロピレン（ＰＰ）やポリエチレンテレフタラート（ＰＥＴ）などとしてもよい。また、紙系としてはアート紙やコート紙などが一例として挙げられる。
【００１２】
ＱＲコード７は可変情報の一例であり、そのほかにＲＳＳコードやＪＡＮコードのようなものでもよいし、あるいは単なる文字、数字、アルファベット等でもよい。すなわち、可変情報としてはＱＲコード７のようなコード類や、文字、数字、アルファベット等、情報を伝達可能なものであればいろいろなタイプのものを採用することができ、しかも単一種の情報に限らず、複数の情報を組み合わせて用いることもできる。
【００１３】
前記のような粘着ラベル１の製造について簡単に説明する。まずロール状となった基材３を巻き戻して加工位置に搬送し、所定位置で停止したときに粘着層２の一部に図示しない非粘着層形成装置（糊殺し装置）により透明ニスを印刷し平滑にする。その後この平滑にされた非粘着層面に図示しないインクジェツト方式による印字装置によりＱＲコード７を印字して（図３参照）透明ニスを糊殺しすることで糊殺し加工をする。しかる後、前記の基材３は、同様にロール状から巻き戻されて加工位置に搬送されてくる台紙５と所定位置で粘着層２を介して重ね合わせられ台紙５の表面に粘着される。このようにして製造された粘着ラベル１は、通常は、一枚の台紙５に複数枚の基材３が整列粘着された状態で切断されて出荷され、使用に供される。
【００１４】
使用に際しては、台紙５から剥がした基材３を、例えばハム等の包装食品など商品の表面に粘着層２を介して粘着する。これにより、基材３の表面に印刷されている前記商品名等やキャンペーン文字等により消費者に購買意欲を起こさせる。しかして、消費者等が当該商品を購入後に当該商品に関する詳細な情報等を知りたいときは、図２に示すように基材３を一方の端部側より台紙５から一部剥がしＱＲコード７が見られるようにする。そしてこのＱＲコード７をカメラ付き携帯電話機で撮影すると、そのＵＲＬの携帯ウェブサイトに入力することなく簡単にアクセスすることができる。
【００１５】
前記のようであって、この粘着ラベル１は、基材３が一層構造からなるので、従来の二層構造の基材５３に比較して材料費がかからず半分程度ですみ製造コストの大幅な低廉化を図ることができる。しかも、可変情報であるＱＲコード７は基材３の裏面の粘着層２に糊殺し加工をすることにより形成した非粘着層面に印字され、いわば粘着層２の一部を非粘着層面化することにより可能とするという画期的なものである。
【００１６】
なお、前記実施の形態は好ましい一例を示したにすぎず、ＱＲコード７など可変情報の種類や非粘着層の部分６の形成位置などの細部の構成は、実施に際し、実用新案登録請求の範囲に記載した範囲内で任意に変更して実施することができるものである。
【図面の簡単な説明】
【００１７】
【図１】この考案の一実施の形態に係る粘着ラベルの全体平面図である。
【図２】同上において台紙から基材の一部を剥がして、基材裏面に形成した可変情報が見える状態の平面図である。
【図３】図１のＡ−Ａ線に沿う粘着前の断面図である。
【図４】従来の粘着ラベルの全体正面図である。
【符号の説明】
【００１８】
１  粘着ラベル
２  粘着層
３  基材
５  台紙
６  非粘着層の部分（糊殺し処理部分）
７  ＱＲコード（可変情報）
【図１】
0003144540.tif 000003
【図２】
0003144540.tif 000004
【図３】
0003144540.tif 000005
【図４】
0003144540.tif 000006
【手続補正書】
【提出日】平成20年6月26日(2008.6.26)
【手続補正１】
【補正対象書類名】実用新案登録請求の範囲
【補正対象項目名】全文
【補正方法】変更
【補正の内容】
【実用新案登録請求の範囲】
【請求項１】
基材がその裏面に有する粘着層を介して台紙に粘着されてなる粘着ラベルにおいて、基材が一層構造からなり、該基材の粘着層のある側の面に可変情報が印字されていることを特徴とする粘着ラベル。
【請求項２】
基材の粘着層の一部に非粘着層が形成され、該非粘着層面に可変情報が印字されている請求項１に記載の粘着ラベル。
【請求項３】
可変情報は、文字、数字、アルファベットや、ＱＲコード（登録商標）、ＲＳＳコード、ＪＡＮコード、のいずれかである請求項１又は２に記載の粘着ラベル。